(57)【要約】【課題】  高い寸法精度での加工を必要とすることなく軸体やキャップ本体に設けられた樹脂製または金属製の取付け部に金属製のクリップを容易に固定可能とする。【解決手段】  クリップ後端の基部を軸体の外面に突設して設けられた取付け部に係合してなる筆記具のクリップの固定構造に於いて、  クリップは、金属製で函形を成し、クリップ基部の下端両側に突片が形成されると共に突片の所定位置に段部が形成されて、一方、軸体の側面には外方に突出した取付け部が設けられ、その取付け部の下方部両側に係合溝が形成され、クリップを前方に摺動して、下端両側に形成された突片を取付け部の係合溝に弾性的に嵌入して、前記突片の前端と段部との間を係合溝の前後で係止して軸体にクリップを固定可能とする。【選択図】  図７
2005199438.tif 000002
【特許請求の範囲】
【請求項１】
クリップ後端の基部を軸体の外面に突設して設けられた取付け部に係合してなる筆記具のクリップの固定構造に於いて、
クリップは、金属製で函形を成し、クリップ基部の下端両側に突片が形成されると共に突片の所定位置に段部が形成されて、一方、軸体の側面には外方に突出した取付け部が設けられ、その取付け部の下方部両側に係合溝が形成され、クリップを前方に摺動して、下端両側に形成された突片を取付け部の係合溝に弾性的に嵌入して、前記突片の前端と段部との間を係合溝の前後で係止して軸体にクリップを固定したことを特徴とする筆記具のクリップ固定構造。
【請求項２】
クリップは、上面に窓部が設けられると共に窓部の後端に後方に向かって切欠部が形成されて、その切欠部に対面するクリップ基部の下端両側に突片が形成され、また、取付け部の上方部両側に嵌入溝が形成され、前記クリップの窓部に軸体の取付け部を挿通すると共にクリップを前方に摺動して、切欠部の両側端面を取付け部の嵌入溝に係合したことを特徴とする請求項１に記載の筆記具のクリップ固定構造。
【請求項３】
軸体の取付け部の前方に庇状に張出し部が形成され、その張出し部がクリップの窓部に添って適宜長さで設けられてなる請求項２に記載の筆記具のクリップ固定構造。
【発明の詳細な説明】
【技術分野】
【０００１】
本発明は、筆記具の軸体等に設けられた取付け部にクリップを固定する構造に関する。
【背景技術】
【０００２】
【特許文献１】特開２０００−３１８３７４号公報  従来、この種の筆記具用のクリップ固定構造（取付け構造）として、特開２０００−３１８３７４号公報に記載された構成のものが知られている。  このクリップ固定構造は、キャップ本体の外周面上に設けた、係止溝又は係止突起からなる係合部を側面に有する直方体状の突出部にクリップの脚部に設けられかつクリップの表面側に貫通した嵌合孔に挿着し、該嵌合孔の内壁面に設けた、係止突起又は係止溝からなる被係合部に前記係合部を係合することにより、キャップ本体の色とは異なる色のクリップをキャップ本体に組付けてなるものである。  上記従来のクリップ固定構造（取付け構造）において、キャップ本体にクリップを組み付けるには、そのクリップに形成した嵌合孔にキャップ本体の突出部を嵌合し、キャップ本体の係合部とクリップの被係合部を互いを乗り越えて係合することにより、クリップをキャップ本体に組み付けて、筆記具用キャップを組み立てるようになっている。
【発明の開示】
【発明が解決しようとする課題】
【０００３】
しかしながら、上記従来のクリップ固定構造は、キャップ本体の係合部とクリップの被係合部をいわば圧入させることによって固定しているので、相互の部材が弾性のある樹脂成形品である必要がある。即ち、クリップが金属製の場合、相互間の嵌合部分の寸法精度を極めて高くしたとしても、嵌合部が変形したり、削られてしまい安定した固定が得られない問題がある。
そこで本発明は、高い寸法精度での加工を必要とすることなく軸体やキャップ本体に設けられた樹脂製または金属製の取付け部に金属製のクリップを容易に固定することが可能となる筆記具のクリップ固定構造の提供を課題とする。
【課題を解決するための手段】
【０００４】
本発明は、上記課題を達成する為に以下の構成を有する。
請求項１に記載の発明に係る筆記具のクリップ固定構造は、クリップ後端の基部を軸体の外面に突設して設けられた取付け部に係合してなる筆記具のクリップの固定構造に於いて、クリップは、金属製で函形を成し、クリップ基部の下端両側に突片が形成されると共に突片の所定位置に段部が形成されて、一方、軸体の側面には外方に突出した取付け部が設けられ、その取付け部の下方部両側に係合溝が形成され、クリップを前方に摺動して、下端両側に形成された突片を取付け部の係合溝に弾性的に嵌入して、前記突片の前端と段部との間を係合溝の前後で係止して軸体にクリップを固定したことを特徴とする。
【０００５】
請求項２に記載の発明に係る筆記具のクリップ固定構造は、請求項１に記載の筆記具のクリップ固定構造に於いて、クリップは、上面に窓部が設けられると共に窓部の後端に後方に向かって切欠部が形成されて、その切欠部に対面するクリップ基部の下端両側に突片が形成され、また、取付け部の上方部両側に嵌入溝が形成され、前記クリップの窓部に軸体の取付け部を挿通すると共にクリップを前方に摺動して、切欠部の両側端面を取付け部の嵌入溝に係合したことを特徴とする。
【０００６】
請求項３に記載の発明に係る筆記具のクリップ固定構造は、請求項２に記載の筆記具のクリップ固定構造に於いて、  軸体の取付け部の前方に庇状に張出し部が形成され、その張出し部がクリップの窓部に添って適宜長さで設けられてなる。
【０００７】
尚、本発明は、ボールペン、シャープペンシル、サインペンなど、一般的な筆記具に適用可能である。また、軸体は、筆記具に使用される軸筒、キャップ、後軸などである。
【発明の効果】
【０００８】
本発明の筆記具のクリップ固定構造は、クリップが金属製で函形を成し、クリップを前方に摺動して、下端両側に形成された突片を取付け部の係合溝に弾性的に嵌入して突片の前端と段部との間を取付け部の係合溝の前後で係止されるので、相互間の係止部が変形したり、削られてたりする問題も無く、容易にクリップを固定することが可能となる。
また、本発明の筆記具のクリップ固定構造は、更に上面に窓部が設けられると共に窓部の後端に後方に向かって切欠部が形成されて、その切欠部に対面するクリップ基部の下端両側に突片が形成され、また、取付け部の上方部両側に嵌入溝が形成されて、クリップの切欠部の両側端面を取付け部の嵌入溝に係合することによって、クリップの上方への取付け強度を強固となすことが可能となる。
また、本発明の筆記具のクリップ固定構造は、更に軸体の取付け部の前方に庇状に張出し部を形成し、その張出し部をクリップの窓部に添って適宜長さで設けることによって、斬新なデザイン性を強調することが可能となる。
【発明を実施するための最良の形態】
【０００９】
図１及び図２に示す実施例は先軸４の先端から筆記先端部を出没可能とするノック式のボールペンで示されている。また、クリップを固定する取付け部を備えた軸体は、軸筒２の後端に固定される後軸３に設けられている。
【００１０】
以下、図面に基づき本発明の一実施例について説明する。
図３及び図５はクリップの形態を示している。クリップ６は、プレス加工等により形成される函型の金属製で、クリップ片６ａの前端内面側に玉部６ｃを有し、後端に基部６ｄを有している。クリップ片６ａの上面には後方から前方に懸けて窓部６ｂが設けられると共にその窓部６ｂの後端に後方に向かって切欠部６ｈが形成されて基部６ｄが設けられている。また、切欠部６ｈに対面するクリップ基部の下端両側に内側折曲げ形状の突片が形成されている。また、突片の所定位置にはスリット部６ｉが形成されて、後方側がガイド突片６ｅ、前方側が係止突片６ｆとなされ、該係止突片６ｆはガイド突片６ｅ（略水平）に対してやや上方に折曲げられている。（上記スリット部６ｉは、切欠状で設けられても良い。また、折曲げ方向は下方でも良く、その説明は後述する。）
【００１１】
図６は軸筒２の後端に取付けられる後軸の形態を示している。
図に示すように、後軸３の天冠部３ａの側面には外方に突出した取付け部３ｂが設けられ、その取付け部３ｂの上方部両側に嵌入溝３ｇと下方部両側に別の溝部が形成されている。該溝部は、後端側より前方に向かってクリップのガイド突片６ｅが嵌入するガイド溝３ｄと、そのガイド溝部の前端に後段部３ｅが形成されると共に前方に向かってやや幅広となった係合溝３ｃが前段部３ｆに至り形成されている。
また、取付け部３ｂの前方には適宜長さの庇状の張出し部３ｈが形成されている。
【００１２】
図７乃至図１１は後軸３の取付け部３ｂにクリップ６を固定した状態を示している。
即ち、クリップ６の窓部６ｂに後軸３の取付け部３ｂを挿通すると共にクリップ６を前方に摺動して、クリップ基部の切欠部６ｈの両側端面を取付け部３ｂの上方両側に形成された嵌入溝３ｇに係合し、同時に取付け部３ｂの下端両側に形成されたガイド溝３ｄに突片を弾性的に嵌入させて、ガイド突片６ｅがガイド溝３ｄに係合されると共に係止突片６ｆの段部６ｇが溝部の後段部３ｅに当接状態で、且つ、係止突片６ｆの前端が係合溝３ｃの前段部３ｆに当接状態となって係止され、後軸３に対してクリップ６が固定される。
尚、クリップ６を取付け部３ｂに係合させる際に、クリップまたは取付け部の何れかあるいは双方に、係合を開始する部位に係合を容易化する導入部が適宜に形成される。
また、取付け部３ｂの張出し部３ｈがクリップ６の窓部６ｂに添って設けられる。
【００１３】
（作用）
本発明の筆記具のクリップ固定構造は以上のように構成されており、クリップ６を前方に摺動して、クリップ６を取付け部３ｂに係合させる際に、クリップまたは取付け部の何れかあるいは双方に、係合を開始する部位に係合を容易化する導入部が適宜に形成されているので係合を容易に開始することができる。また、クリップ基部の下端両側に形成された係止突片６ｆを取付け部の係合溝３ｃに弾性的に嵌入して係止突片６ｆの前端と後端の段部６ｇとの間が取付け部の係合溝３ｃの前後で係止されるので、相互間の係止部が変形したり、削られてたりする問題も無く、容易にクリップを固定することが可能となる。
また、更に上面に窓部６ｂが設けられると共に窓部の後端に後方に向かって切欠部６ｈが形成され、また、取付け部の上方部両側に嵌入溝３ｇが形成されて、クリップの切欠部６ｈの両側端面を取付け部の嵌入溝３ｇに係合することによって、クリップの上方への取付け強度を強固となすことが可能となる。
また、取付け部の張出し部３ｈがクリップの窓部６ｂに添って適宜長さで設けられることによって、斬新なデザイン性が強調される。
また、本発明によれば、クリップ及び取付け部が金属製であっても、相互間の係合部が損傷すること無く、容易な取付けと、強固な固定が期待できる。
また、クリップ６の板厚が薄く極めて華奢な場合に於いて、後軸の張出し部の両側面に適宜に凸部を突設し、一方、クリップの窓部の両側面に縁を形成して、凸部を縁に略当接状に設けることでクリップの横振れを好ましい状態に抑制することが可能である。
また、上述した係止突片６ｆの折曲げ方向は下方でも良く、その場合には、図６に示される後段部３ｅがガイド溝３ｄの上方に設けられているのに対して、ガイド溝３ｄの下側に設けられることになる。（図示せず）
この場合、後軸が軸筒に取付けられた状態に於いて、クリップの玉部６ｃが軸筒面を押圧し、逆作用でクリップが押し上げられた状態になるので、係止突片の段部は取付け部の後段部に対してより当接が深くなるように作用する。すなわち、係止突片の段部が取付け部の後段部に対して押し下げられる。
【図面の簡単な説明】
【００１４】
【図１】実施形態である本発明の筆記具のクリップ固定構造を適用したノック式のボールペンの全体を示す半断面図である。
【図２】ノック式のボールペンの全体を上部より見た図である。
【図３】クリップの断面図である。
【図４】クリップの上面図である。
【図５】クリップの裏面図である。
【図６】後軸の正面図である。
【図７】実施形態である筆記具のクリップ固定構造を示した要部断面の正面図である。
【図８】図７を上面から見た図である。
【図９】要部を断面して、クリップと取付け部の固定状態を上面側から示した図である。
【図１０】図７に於けるＡ断面図である。
【図１１】図７に於けるＢ断面図である。
【符号の説明】
【００１５】
１      筆記具
２      軸筒
３      後軸
３ａ    天冠部
３ｂ    取付け部
３ｃ    係合溝
３ｄ    ガイド溝
３ｅ    後段部
３ｆ    前段部
３ｇ    嵌入溝
３ｈ    張出し部
３ｉ    筒部
３ｊ    凸部
４      先軸
４ａ    溝部
５      グリップ部材
６      クリップ
６ａ    クリップ片
６ｂ    窓部
６ｃ    玉部
６ｄ    基部
６ｅ    ガイド突片
６ｆ    係止突片
６ｇ    段部
６ｈ    切欠部
６ｉ    スリット部
６ｊ    縁
【図１】
2005199438.tif 000003
【図２】
2005199438.tif 000004
【図３】
2005199438.tif 000005
【図４】
2005199438.tif 000006
【図５】
2005199438.tif 000007
【図６】
2005199438.tif 000008
【図７】
2005199438.tif 000009
【図８】
2005199438.tif 000010
【図９】
2005199438.tif 000011
【図１０】
2005199438.tif 000012
【図１１】
2005199438.tif 000013